(57)【要約】【課題】簡易な構造により防水性を高めることのできる電気接続箱の防水構造を提供する。【解決手段】電気接続箱１０の上側に位置するカバー部材３０ｆ、３０ｒの嵌合端縁３２ａを覆うべく、カバー部材３０ｆ、３０ｒを内部に含むように外部二重壁部２４ａ、２４を本体２０に設けたので、電気接続箱１０の上側に滴下した水分は、カバー部材３０ｆ、３０ｒの外側を通って流れ、電気接続箱１０の内部に水分が浸入するのを防止することができる。仮にカバー部材３０ｆ、３０ｒを伝って本体２０側へ流れて外部二重壁部２４ａ、２４に侵入しても、本体２０に設けられている外部二重壁部２４ａ、２４の内側の壁によって電気接続箱１０内部への水分の浸入を阻止するので、防水効果が向上する。【選択図】        図１
2004254479.tif 000002
【特許請求の範囲】
【請求項１】
本体と、前記本体の開口部の外側に被るように嵌合されるカバー部材とを有し、前記カバー部材における複数の嵌合端縁が垂直面に略沿うように配置される電気接続箱の防水構造であって、
取り付け状態において前記カバー部材の各嵌合端縁のうちの少なくとも前記電気接続箱の上側に位置する嵌合端縁を覆うべく前記カバー部材を内部に含む外部二重壁部が、前記本体および前記カバー部材の嵌合方向に沿って前記本体に設けられていることを特徴とする電気接続箱の防水構造。
【請求項２】
前記外部二重壁部における前記嵌合方向に沿った重複寸法が５ｍｍ以上であることを特徴とする請求項１に記載した電気接続箱の防水構造。
【請求項３】
前記外部二重壁部が前記嵌合端縁に沿った入隅部に設けられていることを特徴とする請求項１に記載した電気接続箱の防水構造。
【請求項４】
前記外部二重壁部における前記嵌合方向の端部が前記カバー部材の基部に対応する位置に配置されていることを特徴とする請求項１に記載した電気接続箱の防水構造。
【発明の詳細な説明】
【０００１】
【発明の属する技術分野】
この発明は、電気接続箱の防水構造に関するものである。
【０００２】
【従来の技術】
一般に、自動車の電気回路に使用される電気接続箱はエンジンルームに配置される場合が多いが、車内に配置される場合もある。
この場合、直接水が当たることは少ないが、近年行われるようになってきた車内の湿式洗浄（水洗い）の場合や、車内で飲食する際に飲み物をこぼした場合や、エアコンダクトからの結露水がかかる場合等、車内でも水の浸入を防止することが要求されるようになってきた。
【０００３】
高度な防水性を得るためにはＯリングを用いることが考えられるが、本体およびカバー部材にＯリングに対応した溝を形成する必要がある。
このため、金型コストの上昇、Ｏリングの使用により部品点数および組付け工数の増加等を招くという問題がある。
【０００４】
前述した問題に対して、図６に示すように、電気接続箱１００を本体１０１とカバー部材１０２とから構成することにより、本体１０１とカバー部材１０２との間に水が侵入しないような防水構造１０３が施されている（例えば、特許文献１参照。）。
【０００５】
すなわち、図７に示すように、本体１０１の周壁１０１ａにＬ字形断面の枠体１０４を設け、この枠体１０４と本体１０１の周壁１０１ａとの間に環状溝１０５を形成するとともに、カバー部材１０２の四周に枠体１０４を被覆する被覆体１０６を周設している。
そして、枠体１０４および被覆体１０６との立上り基部間に適宜空間を形成し、さらに被覆体１０６の端縁に、先端が本体１０１の周壁１０１ａに近接する傾斜板１０７を設けている。
【０００６】
しかしながら、前述した電気接続箱１００においても、本体１０１やカバー部材１０２が成形後の「引け」等により変形すると、本体１０１とカバー部材１０２との間に隙間が生じて、水分が浸入する虞れがある。
【０００７】
そこで、この問題点を解決すべく、図８に示すような防水構造が開示されている（例えば、特許文献２参照。）。
すなわち、図８に示すように、この電気接続箱１１０をアッパーカバー１１１とロアーカバー１１２で構成し、アッパーカバー１１１の外周下部にスカート部１１３を形成して、上部を閉じた嵌合溝１１４を形成する。ロアーカバー１１２の上端部の周壁１１２ａが嵌合溝１１４内に嵌合されるように、アッパーカバー１１１をロアーカバー１１２に被せる。これにより、スカート部１１３とロアーカバー１１２により３重の壁が形成され、防水を図っている。
【０００８】
【特許文献１】
実開昭５５−１２９４７９号公報（第１頁、第１図）
【特許文献２】
特開平１１−４１７４８号公報（第２、３頁、第１図）
【０００９】
【発明が解決しようとする課題】
しかしながら、前述した電気接続箱１１０においては、本体であるロアーカバー１１２とカバー部材であるアッパーカバー１１１の位置決めと、防水とを同時に行うので、ロアーカバー１１２やアッパーカバー１１１に「引け」等の変形があった場合には、図９に示すようにロアーカバー１１２の上部の周壁１１２ａが、アッパーカバー１１１のスカート部１１３の途中の段差１１３ａに引っ掛かったりして相互の嵌合が面倒である。
【００１０】
本発明は、前述した問題点に鑑みてなされたものであり、その目的は、簡易な構造により防水性を高めることのできる電気接続箱の防水構造を提供することにある。
【００１１】
【課題を解決するための手段】
前述した目的を達成するために、本発明にかかる電気接続箱の防水構造は、請求項１に記載したように、本体と、前記本体の開口部の外側に被るように嵌合されるカバー部材とを有し、前記カバー部材における複数の嵌合端縁が垂直面に略沿うように配置される電気接続箱の防水構造であって、取り付け状態において前記カバー部材の各嵌合端縁のうちの少なくとも前記電気接続箱の上側に位置する嵌合端縁を覆うべく前記カバー部材を内部に含む外部二重壁部が、前記本体および前記カバー部材の嵌合方向に沿って前記本体に設けられていることを特徴としている。
【００１２】
このように構成された電気接続箱の防水構造においては、電気接続箱の上側に位置するカバー部材の嵌合端縁を覆うべく、カバー部材を内部に含むように外部二重壁部を本体に設けたので、電気接続箱の上側に滴下した水分は、カバー部材の外側を通って流れ、電気接続箱の内部に水分が浸入するのを防止することができる。
仮にカバー部材を伝って本体側へ流れて外部二重壁部に侵入しても、本体に設けられている外部二重壁部の内側の壁によって電気接続箱内部への水分の浸入を阻止するので、防止することができる。
【００１３】
また、本発明にかかる電気接続箱の防水構造は、請求項２に記載したように、請求項１に記載した電気接続箱の防水構造において、前記外部二重壁部における前記嵌合方向に沿った重複寸法が５ｍｍ以上であることを特徴としている。
【００１４】
このように構成された電気接続箱の防水構造においては、外部二重壁部において本体とカバー部材との嵌合方向に重なる長さが長いので、確実に防水することができる。
【００１５】
また、本発明にかかる電気接続箱の防水構造は、請求項３に記載したように、請求項１に記載した電気接続箱の防水構造において、前記外部二重壁部が前記嵌合端縁に沿った入隅部に設けられていることを特徴としている。
【００１６】
このように構成された電気接続箱の防水構造においては、入隅部が上側にあると水分が溜まりやすいが、入隅部に外部二重壁部を設けることにより、入隅部の防水性を向上させることができる。
【００１７】
また、本発明にかかる電気接続箱の防水構造は、請求項４に記載したように、請求項１に記載した電気接続箱の防水構造において、前記外部二重壁部における前記嵌合方向の端部が前記カバー部材の基部に対応する位置に配置されていることを特徴としている。
【００１８】
このように構成された電気接続箱の防水構造においては、本体に設けた外部二重壁部がカバー部材を全幅にわたって覆うので、カバー部材に水分が付着しにくく、防水性を向上させることができる。
【００１９】
【発明の実施の形態】
以下、本発明に係る電気接続箱の防水構造の実施の形態を図面に基づいて詳細に説明する。図１は電気接続箱の分解斜視図、図２は図１中ＩＩ−ＩＩ位置における電気接続箱の防水構造を示す拡大断面図である。
【００２０】
図１に示すように、本発明に係る電気接続箱１０は、前後両面に開口部２１ｆ、２１ｒを有する本体２０と、この本体２０の前後の開口部２１ｆ、２１ｒの両外側に被るように嵌合される一対のカバー部材３０ｆ、３０ｒとを有している。本体２０、カバー部材３０ｆ、３０ｒ等は、一般に、合成樹脂から形成されている。この電気接続箱１０は、例えば本体２０の両開口部２１ｆ、２１ｒがほぼ垂直面に沿った状態で使用される。
【００２１】
本体２０の内部には、種々の電装品を装着するための電装品収容ブロック２２が設けられており、その外周には本体壁部２３がカバー部材３０ｆ、３０ｒの嵌合方向（図１中矢印方向）である前後両側に設けられている。
本体壁部２３の内、少なくとも電気接続箱１０の使用状態において上側となる本体壁部２３Ｕにおいては、外部二重壁部を構成する外壁２４ａおよび内壁２４ｂが各々前後両方に向かって設けられている。
なお、全周にわたって外壁２４ａおよび内壁２４ｂを設けることも可能である。
【００２２】
図１に示すように、裏側のカバー部材３０ｒは、前述した本体２０の裏側の開口部２１ｒを覆うべく、ほぼ矩形状のベースプレート３１ｒを有しており、このベースプレート３１ｒの外周には壁３２ｒがベースプレート３１ｒに対して直角（嵌合方向）に設けられている。
壁３２ｒは場所によって切欠き３３ａ、３３ｂが設けられており、本体２０の電装品収容ブロック２２に設けられている取付けブラケット３４との干渉を回避したり、電装品収容ブロック２２に取付けたコネクタを覆うコネクタカバーを付けることができるようになっている。
【００２３】
また、表側のカバー部材３０ｆは、本体２０の表側の開口部２１ｆを覆うべく前述した裏側のカバー部材３０ｒと同様の形状をしており、ベースプレート３１ｆの外周には壁３２ｆが嵌合方向に延びて設けられている。
また、カバー部材３０ｆには、電装品収容ブロック２２に装着される電装品との干渉を回避するために、電装品の形状に対応して、凹部３５が設けられたり、切欠き３６ａ、３６ｂが設けられたりしている。
【００２４】
図２に示すように、本体２０に設けられている外壁２４ａおよび内壁２４ｂから構成される外部二重壁部は、外壁２４ａと内壁２４ｂとの間に一定の隙間２５を設け、この隙間２５にカバー部材３０ｆ、３０ｒの壁３２ｆ、３２ｒの先端である嵌合端縁３２ａを各々嵌合させることにより、カバー部材３０ｆ、３０ｒを外壁２４ａと内壁２４ｂとの間に含む構造となっている。
なお、内壁２４ｂの外側面には、係止突起２６が設けられており、カバー部材３０ｆ、３０ｒを係止して脱落を防止している。
【００２５】
また、図２に示すように、外壁２４ａがカバー部材３０ｆ、３０ｒの壁３２ｆ、３２ｒと重複する長さＬとして、最低でも５ｍｍ以上確保する。
好ましくは、図３に示すように、嵌合方向の端部である外壁２４ａの先端２４ｃが、カバー部材３０ｆ、３０ｒの基部、すなわちベースプレート３１ｆ、３１ｒの外側面３１ａ位置まで達するようにして、カバー部材３０ｆ、３０ｒの外面を全幅にわたって覆うようにするのがよい。
【００２６】
以上、前述した電気接続箱の防水構造によれば、使用状態において上側に位置する本体２０に外壁２４ａおよび内壁２４ｂからなる外部二重壁部を設けて、外壁２４ａと内壁２４ｂとの間にカバー部材３０ｆ、３０ｒを嵌合させるようにしたので、本体２０とカバー部材３０ｆ、３０ｒとの間の防水性を向上させることができる。
【００２７】
なお、本発明の電気接続箱の防水構造は、前述した実施形態に限定されるものでなく、適宜な変形、改良等が可能である。
例えば、前述した各実施形態では、本体２０の上側の壁２３Ｕがほぼ水平となるように配置して使用する場合について説明したが、図４に示すように、隅角部２７を上にしたような斜めの状態で使用する場合でも同様である。この場合には、隅角部２７を挟んだ両側の本体壁部２３Ｕ、２３Ｕについて、前述した上側の本体壁部２３Ｕと同様な二重壁構造とする。
【００２８】
また、図５に示すように、電気接続箱１０の隅角部２７に、内側へ食い込んだ入隅部２８が形成され、使用時にはこの入隅部２８を上側に配置されることが想定される場合には、少なくとも入隅部２８は二重壁構造とする。
これにより、水が溜まりやすい入隅部２８における防水性を向上させることができる。この際には、入隅部２８の両側の本体壁部２３Ｕ、２３Ｕについても二重壁構造として防水を図るようにする。
【００２９】
また、前述した実施形態においては、図１に示したように、本体２０の前後両面に開口部２１ｆ、２１ｒが設けられており、一対のカバー部材３０ｆ、３０ｒにより両開口部２１ｆ、２１ｒを覆う場合について説明したが、この他、本体２０の前面（あるいは後面）にのみ開口部２１を有し、この開口部２１を１枚のカバー部材３０により覆う場合についても同様に適用することができる。
この場合には、本体２０の前側に延びるように外壁２４ａと内壁２４ｂを設けて外部二重壁部を形成し、外壁２４ａと内壁２４ｂとの間の隙間２５にカバー部材３０の壁３２の端縁が嵌合される。
【００３０】
【発明の効果】
以上、説明したように、本発明にかかる電気接続箱の防水構造によれば、請求項１に記載したように、電気接続箱の上側に位置するカバー部材の嵌合端縁を覆うべく、カバー部材を内部に含むように外部二重壁部を本体に設けたので、電気接続箱の上側に滴下した水分は、カバー部材の外側を通って流れ、電気接続箱の内部に水分が浸入するのを防止することができる。仮にカバー部材を伝って本体側へ流れて外部二重壁部に侵入しても、本体に設けられている外部二重壁部の内側の壁によって接続箱内部への水分の浸入を阻止するので、防止効果を改善することができる。
【図面の簡単な説明】
【図１】本発明に係る電気接続箱の防水構造の一実施形態を示す分解斜視図である。
【図２】図１中ＩＩ−ＩＩ位置における外部二重壁部の拡大断面図である。
【図３】外部二重壁部の別の例を示す拡大断面図である。
【図４】電気接続箱の使用状態を示す正面図である。
【図５】隅角部に入隅部が形成された場合を示す説明図である。
【図６】従来の電気接続箱の一例を示す斜視図である。
【図７】図６中ＶＩＩ−ＶＩＩ位置における断面図である。
【図８】従来の電気接続箱の別の例を示す斜視図である。
【図９】図８の電気接続箱における問題点を示す断面図である。
【符号の説明】
１０  電気接続箱
２０  本体
２１ｆ、２１ｒ  開口部
２４ａ  外壁（外部二重壁部）
２４ｂ  内壁（外部二重壁部）
２４ｃ  先端面（端部）
２８  入隅部
３０ｆ、３０ｒ  カバー部材
３１ａ  ベースプレート外側面（基部）
３２ａ  嵌合端縁
Ｌ  重複寸法
【図１】
2004254479.tif 000003
【図２】
2004254479.tif 000004
【図３】
2004254479.tif 000005
【図４】
2004254479.tif 000006
【図５】
2004254479.tif 000007
【図６】
2004254479.tif 000008
【図７】
2004254479.tif 000009
【図８】
2004254479.tif 000010
【図９】
2004254479.tif 000011